(57)【要約】【課題】本発明は、照明器具に関し、消費電力を削減できる照明器具を得ることを目的とする。【解決手段】本発明に係る照明器具は、発光素子と、該発光素子を点灯させる点灯回路と、制御信号を発する制御ユニットと、該制御信号に応じて該点灯回路を制御する制御回路と、該制御回路と該制御ユニットに電力を供給する制御電源回路と、該制御電源回路から該制御ユニットに電力を供給する経路に設けられたスイッチ部と、該点灯回路と、該制御回路と、該制御電源回路と、該スイッチ部と、を備える光源点灯装置と、該発光素子と、が取り付けられた筐体と、を備え、該制御ユニットは、該筐体に着脱可能に取り付けられている。【選択図】図１
2018037232.tif 000002
【特許請求の範囲】
【請求項１】
発光素子と、
前記発光素子を点灯させる点灯回路と、
制御信号を発する制御ユニットと、
前記制御信号に応じて前記点灯回路を制御する制御回路と、
前記制御回路と前記制御ユニットに電力を供給する制御電源回路と、
前記制御電源回路から前記制御ユニットに電力を供給する経路に設けられたスイッチ部と、
前記点灯回路と、前記制御回路と、前記制御電源回路と、前記スイッチ部と、を備える光源点灯装置と、前記発光素子と、が取り付けられた筐体と、
を備え、
前記制御ユニットは、前記筐体に着脱可能に取り付けられていることを特徴とする照明器具。
【請求項２】
発光素子と、
前記発光素子を点灯させる点灯回路と、
制御信号を発する制御ユニットと、
前記制御信号に応じて前記点灯回路を制御する制御回路と、
前記制御回路と前記制御ユニットに電力を供給する制御電源回路と、
前記制御電源回路から前記制御ユニットに電力を供給する経路に設けられたスイッチ部と、
を備え、
前記制御回路は、前記制御信号に応じて前記スイッチ部を遮断することを特徴とする照明器具。
【請求項３】
前記点灯回路と、前記制御回路と、前記制御電源回路と、前記スイッチ部と、を備える光源点灯装置と、前記発光素子と、が取り付けられた筐体を備え、
前記制御ユニットは、前記筐体に着脱可能に取り付けられていることを特徴とする請求項２に記載の照明器具。
【請求項４】
前記制御回路は、前記制御ユニットの種類を判別することを特徴とする請求項１または３に記載の照明器具。
【請求項５】
前記制御ユニットは、外部の照明制御機器と通信を行うためのセンサ部を備え、前記照明制御機器が発する信号に応じて、前記制御信号を発することを特徴とする請求項１〜４の何れか１項に記載の照明器具。
【請求項６】
前記制御回路は、前記発光素子の点灯中に前記スイッチ部が遮断されると、前記スイッチ部の遮断前の調光率を保持するように前記点灯回路を制御することを特徴とする請求項１〜５の何れか１項に記載の照明器具。
【請求項７】
外部電源から前記点灯回路に電力が供給され、且つ、前記スイッチ部が遮断された状態において、前記外部電源から前記点灯回路への電力供給を遮断した後、前記外部電源からの前記点灯回路への電力供給を開始すると、前記制御回路は前記スイッチ部を導通状態とすることを特徴とする請求項１〜６の何れか１項に記載の照明器具。
【請求項８】
前記制御回路は、前記スイッチ部が導通状態となった後に、一定期間の間に前記スイッチ部の遮断を解除する前記制御信号を受信しない場合、前記スイッチ部を遮断することを特徴とする請求項７に記載の照明器具。
【請求項９】
前記制御回路は、前記スイッチ部が導通状態となった後に、前記一定期間の間に前記スイッチ部の遮断を解除する前記制御信号を受信しない場合、前回の点灯時の調光率を保持するように前記点灯回路を制御することを特徴とする請求項８に記載の照明器具。
【請求項１０】
前記制御回路は、前記スイッチ部を間欠的に導通状態とすることを特徴とする請求項１〜９の何れか１項に記載の照明器具。
【請求項１１】
前記制御ユニットは、照度センサが発する信号に応じて、前記制御信号を発することを特徴とする請求項１０に記載の照明器具。
【請求項１２】
前記制御ユニットは、人感センサが発する信号に応じて、前記制御信号を発することを特徴とする請求項１０に記載の照明器具。
【請求項１３】
外部電源から前記点灯回路への電力供給を開始すると、前記制御回路に電力が供給された後に、前記制御回路は前記スイッチ部を導通状態にすることを特徴とする請求項１〜１２の何れか１項に記載の照明器具。
【請求項１４】
外部電源から前記点灯回路への電力供給が遮断されると、前記制御回路が前記スイッチ部を遮断した後に、前記制御回路への電力供給が停止されることを特徴とする請求項１〜１３の何れか１項に記載の照明器具。
【請求項１５】
前記発光素子が消灯状態において前記制御電源回路が発生させる電圧は、前記発光素子が点灯状態において前記制御電源回路が発生させる電圧よりも低いことを特徴とする請求項１〜１４の何れか１項に記載の照明器具。
【発明の詳細な説明】
【技術分野】
【０００１】
本発明は、照明器具に関する。
【背景技術】
【０００２】
特許文献１には、使用者からの指令を無線受信する着脱可能な通信モジュールを照明装置に設ける技術が示されている。
【先行技術文献】
【特許文献】
【０００３】
【特許文献１】特開２０１３−２３５８３７号公報
【発明の概要】
【発明が解決しようとする課題】
【０００４】
従来、照明器具を使用者からの指令等で制御する方法として、照明制御機器と複数の照明器具を信号線で接続し、照明制御機器からの信号を基に照明器具の点灯回路を制御することがあった。照明制御機器からの信号は、例えば、ＰＷＭ（Ｐｕｌｓｅ  Ｗｉｄｔｈ  Ｍｏｄｕｌａｔｉｏｎ）信号である。照明器具が備える光源点灯装置は、ＰＷＭ信号に基づいて光源に流れる電流を調整し、調光制御を行う。この方式によると、照明制御機器と複数の照明器具を接続する信号線の配線工事が必要となる。複数の照明器具と配線を接続する作業は煩雑である。このため、例えば、使用者が制御する照明器具を変更することは困難であった。
【０００５】
そこで、例えば特許文献１に示される技術では、使用者からの指令をリモコンにより入力する。さらに、リモコンと通信モジュールとの間で様々な無線通信方式が使用できるように、通信方式を切り替え出来る。これにより、特許文献１に示される技術では、配線を簡略化できる。しかしながら、特許文献１には、着脱可能な通信モジュールを駆動するための駆動用電源の供給方法について、具体的な構成が示されていない。例えば、常時、通信モジュールに駆動用電源が供給されていると、消費電力が大きくなるという課題がある。
【０００６】
本発明は、上述の課題を解決するためになされたもので、消費電力を削減できる照明器具を得ることを目的とする。
【課題を解決するための手段】
【０００７】
第１の発明に係る照明器具は、発光素子と、該発光素子を点灯させる点灯回路と、制御信号を発する制御ユニットと、該制御信号に応じて該点灯回路を制御する制御回路と、該制御回路と該制御ユニットに電力を供給する制御電源回路と、該制御電源回路から該制御ユニットに電力を供給する経路に設けられたスイッチ部と、該点灯回路と、該制御回路と、該制御電源回路と、該スイッチ部と、を備える光源点灯装置と、該発光素子と、が取り付けられた筐体と、を備え、該制御ユニットは、該筐体に着脱可能に取り付けられている。
【０００８】
第２の発明に係る照明器具は、発光素子と、該発光素子を点灯させる点灯回路と、制御信号を発する制御ユニットと、該制御信号に応じて該点灯回路を制御する制御回路と、該制御回路と該制御ユニットに電力を供給する制御電源回路と、該制御電源回路から該制御ユニットに電力を供給する経路に設けられたスイッチ部と、を備え、該制御回路は、該制御信号に応じて該スイッチ部を遮断する。
【発明の効果】
【０００９】
第１の発明に係る照明器具では、筐体に着脱可能に取り付けられた制御ユニットへの制御電源の供給をスイッチ部によって遮断することができる。このため、制御ユニットの駆動を停止することができる。従って、照明器具の消費電力を低減することができる。
第２の発明に係る照明器具では、制御ユニットへの制御電源の供給をスイッチ部によって遮断することができる。このため、制御ユニットの駆動を停止することができる。従って、照明器具の消費電力を低減することができる。
【図面の簡単な説明】
【００１０】
【図１】本発明の実施の形態１に係る照明器具の構成図である。
【図２】本発明の実施の形態１に係る光源点灯装置および制御ユニットの回路ブロック図である。
【図３】本発明の実施の形態２に係る照明器具の動作を示すフローチャートである。
【図４】本発明の実施の形態３に係る照明器具の動作シーケンスを示すタイムチャートである。
【図５】本発明の実施の形態４に係る光源点灯装置および制御ユニットの回路ブロック図である。
【図６】本発明の実施の形態４における照明器具の動作シーケンスを示すタイムチャートである。
【発明を実施するための形態】
【００１１】
本発明の実施の形態に係る照明器具について図面を参照して説明する。同じ又は対応する構成要素には同じ符号を付し、説明の繰り返しを省略する場合がある。
【００１２】
実施の形態１．
図１は、本発明の実施の形態１に係る照明器具の構成図である。照明器具１は、筐体２と、発光部３と、光源点灯装置４と、接続部５を備える。発光部３は、発光素子として複数のＬＥＤを備える。光源点灯装置４は、発光部３を点灯させる。接続部５は、筐体２に設けられ、制御ユニット１０を収納する。接続部５は、光源点灯装置４に配線によって接続されている。接続部５は、接続部５に収納された制御ユニット１０と光源点灯装置４を電気的に接続する。接続部５は、筐体２の外側に露出した開口を備える。
【００１３】
制御ユニット１０は、開口から接続部５に取り付けられる。制御ユニット１０は、筐体２に着脱可能に取り付けられる。制御ユニット１０が収納されていない状態では、開口をカバーで覆っても良い。本実施の形態では、互いに異なる機能または仕様を有する複数の制御ユニット１０が準備されている。使用者は、機能または仕様を選択して所望の制御ユニット１０を照明器具１に取り付けることができる。ここで言う使用者は、最終消費者に限らず、照明器具１の設定を行う設置者なども含む。なお、発光部３は発光素子として、ＬＥＤの代わりに有機ＥＬを備えても良い。
【００１４】
制御ユニット１０は、電極１１と、センサ部１２と、通信制御回路１３を備えている。電極１１は、接続部５において、光源点灯装置４と電気的に接続される。制御ユニット１０には、電極１１を介して光源点灯装置４から電力が供給される。センサ部１２は、外部の照明制御機器と通信を行うことで、使用者からの指令のおよび外部状態に応じた指令信号を通信制御回路１３に送信する。通信制御回路１３は、センサ部１２が受信した指令信号を、光源点灯装置４に指令するための制御信号に変換する。通信制御回路１３は、制御信号を電極１１から出力する。光源点灯装置４は、電極１１、接続部５および配線を介して制御信号を受信する。
【００１５】
制御ユニット１０と光源点灯装置４は、接続部５を介して配線により電気的に接続される。光源点灯装置４は通信制御回路１３から受信した制御信号に応じて、光源点灯装置４が備えるスイッチング方式のＤＣ−ＤＣコンバータ回路を制御することで、発光部３を制御する。具体的には、光源点灯装置４は、発光部３に流れる電流量および点灯時間などを制御できる。
【００１６】
本実施の形態では、制御ユニット１０が無線通信機能を有する無線通信ユニットである場合について説明する。この場合、センサ部１２は、無線通信アンテナを備える。無線通信アンテナは、外部からの信号を受信し、さらに、外部に信号を送信する。また、通信制御回路１３は無線通信制御回路を備える。無線通信制御回路は、無線通信アンテナが送受信する指令信号を制御信号に変換し、光源点灯装置と制御信号の受け渡しを行う。
【００１７】
次に、例えば、外部の照明制御機器が、無線通信手段を備える調光コントローラである場合の照明器具１の動作について説明する。まず、外部の照明制御機器から、照明器具１の明るさを変更する指令信号が送信される。センサ部１２の無線通信アンテナは指令信号を受信する。通信制御回路１３は指令信号を制御信号に変換し、光源点灯装置４に送信する。光源点灯装置４は、制御信号に応じて、発光部３に流れる電流量を制御する。
【００１８】
また、制御ユニット１０は、光源点灯装置４から制御ユニット１０に送信された信号を、無線通信アンテナから照明制御機器に送信しても良い。ここで、光源点灯装置４から制御ユニット１０に送信された信号は、光源点灯装置４が記憶している情報を含む信号である。光源点灯装置４が記憶している情報は、例えば、照明器具１の消費電力、点灯時間、または故障状態である。これにより、照明制御機器の表示部に消費電力、点灯時間、または故障状態を表示することができる。
【００１９】
ここでは、照明制御機器は無線通信手段を備える調光コントローラであるとしたが、照明制御機器は、無線通信手段を備え、調光の設定をするためのリモコンであってもよい。また、照明制御機器と制御ユニット１０との通信手段は、無線方式以外でも良い。例えば、赤外線による通信手段を用いても構わない。この場合、制御ユニット１０はセンサ部１２に赤外線受光素子を備える。
【００２０】
図２は、本発明の実施の形態１に係る光源点灯装置および制御ユニットの回路ブロック図である。制御ユニット１０が接続部５に接続された状態において、接続部５が備える電極５ａと、電極１１とが接続される。電極５ａは、光源点灯装置４が備える制御回路４ｂおよびスイッチ部４ｄと配線により接続されている。
【００２１】
光源点灯装置４は、点灯回路４ａを備える。点灯回路４ａは、整流回路４１を備える。整流回路４１は、ダイオードブリッジ回路である。整流回路４１は、スイッチＳＷを介して交流電源である外部電源７０と接続される。本実施の形態では、外部電源７０は商用電源である。スイッチＳＷは外部電源７０からの電力供給を遮断するための壁スイッチである。整流回路４１の直流出力側には、平滑コンデンサであるコンデンサ４４が並列に接続される。コンデンサ４４の正極には、インダクタ４５の一端が接続される。
【００２２】
インダクタ４５の他端は、スイッチング素子４６のドレインおよびダイオード４７のアノードに接続される。スイッチング素子４６のソースは、コンデンサ４４の負極に接続される。また、スイッチング素子４６のゲートは制御回路４ｂと接続される。ダイオード４７のカソードにはコンデンサ４８の正極が接続される。コンデンサ４８の負極は、スイッチング素子４６のソースに接続される。
【００２３】
コンデンサ４８の正極はスイッチング素子４９のドレインと接続される。スイッチング素子４９のソースにはダイオード５１のカソードおよびインダクタ５２の一端が接続される。ダイオード５１のアノードは、コンデンサ４８の負極に接続される。スイッチング素子４９のゲートは制御回路４ｂと接続される。インダクタ５２の他端には、コンデンサ５３の正極が接続される。コンデンサ５３の負極は、ダイオード５１のアノードが接続される。
【００２４】
以上から、点灯回路４ａは、スイッチング方式のＤＣ−ＤＣコンバータ回路を備える。スイッチング素子４６のオン時間を調整することで、コンデンサ４８の正極に定電圧が発生する。また、スイッチング素子４９のオン時間を変更することで、点灯回路４ａの出力電流が変更される。点灯回路４ａの出力には、発光部３が並列に接続される。発光部３は、直列に接続された複数の発光素子８１を備える。点灯回路４ａは、発光素子８１を点灯させる。
【００２５】
次に、制御回路４ｂについて説明する。制御回路４ｂは、処理回路２６を備える。処理回路２６は、コンデンサ４８の両端に印加される電圧が定電圧になるようにスイッチング素子４６のオン時間を算出する。また、処理回路２６は、電極５ａおよび電極１１を介して通信制御回路１３に接続されている。処理回路２６には、通信制御回路１３が発する制御信号９２によって目標となる調光率が通知される。処理回路２６は、制御信号９２が通知する調光率で発光部３が点灯するように、スイッチング素子４９のオン時間を算出する。
【００２６】
制御回路４ｂは駆動回路２０を備える。駆動回路２０は、処理回路２６が算出したスイッチング素子４６およびスイッチング素子４９のオン時間に従って、ＰＷＭ信号を出力する。ＰＷＭ信号によって、スイッチング素子４６およびスイッチング素子４９のオンオフが制御される。また、処理回路２６で実行される演算処理には、記憶装置２３に記憶されたプログラムが用いられる。以上から、制御信号９２によって通知された調光率に従って、発光部３が点灯する。
【００２７】
次に、制御電源回路４ｃについて説明する。制御電源回路４ｃは、スイッチング素子６４を備える。スイッチング素子６４のドレインは、コンデンサ４８の正極と接続される。スイッチング素子６４のソースにはダイオード６３のカソードおよびインダクタ６２の一端が接続される。ダイオード６３のアノードは、コンデンサ６１の負極に接続される。
【００２８】
スイッチング素子６４のゲートは駆動回路６５と接続される。駆動回路６５は、スイッチング素子６４のオン時間を調整する。インダクタ６２の他端には、コンデンサ６１の正極が接続される。コンデンサ６１の正極は、制御回路４ｂに接続される。また、コンデンサ６１の正極は、スイッチ部４ｄを介して制御ユニット１０に接続される。
【００２９】
以上から、制御電源回路４ｃは、スイッチング方式のＤＣ−ＤＣコンバータ回路を備える。制御電源回路４ｃは、コンデンサ４８の正極に発生する電圧を降圧し、コンデンサ６１の正極に出力する。制御電源回路４ｃの出力電圧は、スイッチング素子６４のデューティー比を調整することで調整される。制御電源回路４ｃの出力は、制御回路４ｂと、スイッチ部４ｄを介して制御ユニット１０に接続される。従って、制御電源回路４ｃは、制御回路４ｂと制御ユニット１０に電力を供給する。制御電源回路４ｃの出力電圧は、制御回路４ｂと制御ユニット１０を駆動させる制御電源電圧となる。
【００３０】
次に、スイッチ部４ｄについて説明する。スイッチ部４ｄの一端には、制御電源回路４ｃの出力が接続される。また、スイッチ部４ｄの他端には、電極５ａおよび電極１１を介して、制御ユニット１０が接続される。従って、スイッチ部４ｄは、制御電源回路４ｃから制御ユニット１０に電力を供給する経路に設けられる。このため、スイッチ部４ｄの遮断によって、制御ユニット１０への制御電源の供給が遮断される。
【００３１】
制御回路４ｂは、スイッチ部４ｄをオンオフする。スイッチ部４ｄには、例えば、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）またはバイポーラトランジスタなどの半導体スイッチング素子を用いることができる。
【００３２】
使用者は照明制御機器９０である調光コントローラの操作によって、発光部３の明るさを所望の明るさに調整することができる。以下に、使用者が調光率を変更する手順を説明する。使用者が発光部３の明るさを変更する場合、スイッチ部４ｄは導通状態である。このとき、制御ユニット１０には制御電源回路４ｃから制御電源が供給される。このため、制御ユニット１０は動作状態となる。このとき、制御ユニット１０は、照明制御機器９０からの指令信号９１を受信可能な状態となる。
【００３３】
まず、使用者が照明制御機器９０に発光部３の所望の明るさを入力する。照明制御機器９０は入力された明るさを指令信号９１として発信する。この結果、センサ部１２は、指令信号９１を受信する。通信制御回路１３は、指令信号９１を光源点灯装置４に指令するための制御信号９２に変換する。通信制御回路１３は、制御信号９２を制御回路４ｂに通知する。ここで、通信制御回路１３は、使用者が入力した明るさを調光率に変換し、制御信号９２として送信するものとしても良い。この結果、制御回路４ｂは点灯回路４ａを制御して、使用者が照明制御機器９０から設定した明るさで発光部３を点灯させる。
【００３４】
次に、使用者が発光部３の明るさの変更を必要としない場合について説明する。このとき、発光部３は、一定の明るさの状態で点灯を維持する。このとき、使用者は照明制御機器９０から制御ユニット１０の動作を停止する操作を行う。この結果、照明制御機器９０から制御ユニット１０の動作を停止するための指令信号９１が送信される。この結果、制御ユニット１０からスイッチ部４ｄをオフするための制御信号９２が送信される。
【００３５】
制御回路４ｂは、制御信号９２に応じてスイッチ部４ｄを遮断する。この結果、制御ユニット１０への制御電源の供給が遮断される。従って、制御ユニット１０は動作を停止し、照明制御機器９０からの指令信号９１を受け付けなくなる。本実施の形態では、使用者が発光部３の明るさの変更を必要としない場合に、制御ユニット１０の動作を停止できる。従って、制御ユニット１０の消費電力を削減することができる。
【００３６】
また、制御回路４ｂは、発光素子８１の点灯中にスイッチ部４ｄが遮断されると、スイッチ部４ｄの遮断前の調光率を保持するように点灯回路４ａを制御する。この結果、制御回路４ｂは、制御ユニット１０の動作を停止する直前に設定された明るさで、発光部３の点灯を維持する。これにより、制御ユニット１０のオンオフに係らず、発光部３を一定の明るさで点灯させることができる。つまり、発光部３が一定の明るさを維持したまま、制御ユニット１０の消費電力を削減することができる。
【００３７】
次に、使用者が制御ユニット１０の動作を停止した後に、再び照明制御機器９０の操作により、発光部３の明るさを変更する場合について説明する。外部電源７０から点灯回路４ａに電力が供給され、且つ、スイッチ部４ｄが遮断された状態において、外部電源７０から点灯回路４ａへの電力供給をスイッチＳＷにより遮断する。その後、スイッチＳＷをオンし、外部電源７０から点灯回路４ａへの電力供給を開始する。以上の操作により、制御回路４ｂはスイッチ部４ｄを導通状態とする。
【００３８】
この結果、制御ユニット１０に制御電源回路４ｃから再び制御電源が供給される。本実施の形態では、スイッチＳＷをオフし、その後オンすることにより、制御ユニット１０が再び起動する。このため、制御ユニット１０を再起動させるための追加回路が不要となり、照明器具１の回路を簡易化できる。制御ユニット１０の再起動後は、照明制御機器９０から送信される指令信号９１に基づいて発光部３は点灯する。
【００３９】
なお、点灯回路４ａは、整流回路４１の直流出力側に分圧抵抗４２、４３を備える。制御回路４ｂは、分圧抵抗４２、４３に印加される電圧を読み取ることで、スイッチＳＷのオンオフを検知できる。処理回路２６は、スイッチＳＷがオンであり、且つ、スイッチ部４ｄが遮断された状態において、スイッチＳＷがオフされた後にオンされたことを検知すると、スイッチ部４ｄを導通状態にする。
【００４０】
ここで、使用者が常に制御ユニット１０の動作を停止したい場合がある。上述の操作方法では、スイッチＳＷによって外部電源７０を投入する度に、照明制御機器９０から制御ユニット１０の動作を停止する操作を実行しなければならず、操作が煩わしい。そこで、常時、制御ユニット１０の動作を停止する方法について説明する。
【００４１】
まず、スイッチ部４ｄが導通状態において、使用者は照明制御機器９０から制御ユニット１０の動作を停止する指令信号９１を送信する。この結果、制御ユニット１０からスイッチ部４ｄをオフするための制御信号９２が送信される。次に、制御回路４ｂはスイッチ部４ｄをオフするための制御信号９２を受け取った情報を記憶装置２３に記憶する。記憶装置２３は不揮発性メモリを備える。スイッチ部４ｄをオフするための制御信号９２を受け取った情報は、外部電源７０を遮断しても維持されるものとする。
【００４２】
次に、使用者がスイッチＳＷを遮断後、再びスイッチＳＷをオンしたとする。処理回路２６は、スイッチＳＷが遮断後に再びオンされたことを検知する。このとき、処理回路２６はスイッチＳＷの遮断前に制御ユニット１０への制御電源の供給を遮断していたか否かを記憶装置２３から読み出し、判断する。制御ユニット１０への制御電源の供給を遮断していた場合、処理回路２６はあらかじめ定めた一定期間、スイッチ部４ｄを導通状態とする。ここで、スイッチ部４ｄを導通状態とする一定期間は、例えば１０秒間である。
【００４３】
スイッチ部４ｄが導通状態である一定期間中は、制御ユニット１０へ制御電源の供給が行われる。このため、制御ユニット１０は照明制御機器９０からの指令信号９１を受信可能となる。この一定期間に照明制御機器９０から制御ユニット１０に、制御ユニット１０の動作を開始する指令信号９１が送信されなければ、制御回路４ｂは再び制御ユニット１０への制御電源の供給を再び遮断する。つまり、一定期間にスイッチ部４ｄの遮断を解除する制御信号９２を処理回路２６が受信しない場合、処理回路２６は、スイッチ部４ｄを再び遮断する。
【００４４】
ここで、制御回路４ｂはカウンタ２４を備える。カウンタ２４は、スイッチ部４ｄを導通状態とする一定期間である１０秒をカウントする。スイッチＳＷが遮断後に再びオンされたことを処理回路２６が検知すると、カウンタ２４はカウントを開始する。スイッチ部４ｄの遮断を解除する制御信号９２を受信せずに、カウンタ２４から１０秒が経過したことが通知されると、処理回路２６はスイッチ部４ｄを再び遮断する。以上から、使用者は、外部電源７０を投入する度に、照明制御機器９０から制御ユニット１０の動作を停止する操作を行う必要がなくなる。
【００４５】
また、予め記憶装置２３に、使用者が制御ユニット１０への制御電源の供給を遮断する直前の調光率を記憶しておく。あらかじめ定めた一定期間に、制御ユニット１０の動作を開始する指令信号９１が送信されない場合、スイッチ部４ｄが再び遮断される。その後、処理回路２６は、記憶装置２３に記憶された調光率を読みだす。この調光率に基づいて、制御回路４ｂは点灯回路４ａを制御する。このため、制御回路４ｂは、前回の点灯時の調光率を保持するように、発光部３に流れる電流を制御する。従って、前回の点灯時と同じ明るさとなる調光率で発光部３を点灯することができる。以上から、使用者が外部電源７０を投入する度に、照明制御機器９０で調光率を設定する操作を行う必要がなくなる。
【００４６】
以上から、使用者が制御ユニット１０の動作の停止の設定および調光率の設定を一度実施すれば、スイッチＳＷをオンオフしても毎回同じ設定で発光部３を点灯させることができる。従って、照明制御機器９０を操作する煩わしさを解消しつつ、制御ユニット１０の消費電力を削減することができる。これは、例えば、調光コントローラによって発光部３の明るさの調整を行う頻度が少ないような用途に有効である。
【００４７】
使用者がスイッチＳＷを遮断後、再びスイッチＳＷをオンすると、あらかじめ定めた一定期間にスイッチ部４ｄが導通状態となる。この一定期間中に、制御ユニット１０の動作を開始する指令信号９１が照明制御機器９０から送信されれば、制御ユニット１０への制御電源の供給が継続される。つまり、カウンタ２４が１０秒の経過を処理回路２６に通知する前に、スイッチ部４ｄの遮断を解除する制御信号９２を処理回路２６が受信した場合、処理回路２６は、スイッチ部４ｄの導通状態を維持する。このとき、スイッチＳＷがオン状態である間は、調光コントローラによる操作が有効となる。
【００４８】
ここでは、照明制御機器９０が調光コントローラであり、照明器具１が無線通信機能を有する制御ユニット１０を備える場合について説明した。これに対し、例えば、照明制御機器９０に照度センサまたは人感センサを搭載しても良い。次に、照明制御機器９０が照度センサを搭載し、照明器具１が無線通信機能を有する制御ユニット１０を備える場合について説明する。
【００４９】
照度センサを搭載した照明制御機器９０は、例えば天井に設置される。照明制御機器９０は、照度センサで外部の明るさを検出する。また、照明制御機器９０は、検出した明るさを無線通信手段で送信するための指令信号９１に変換する。さらに、照明制御機器９０は、指令信号９１を制御ユニット１０に送信する。次に、制御ユニット１０は受信した指令信号９１を通信制御回路１３にて、制御回路４ｂに送信するための制御信号９２に変換し、送信する。
【００５０】
ここで、通信制御回路１３は、照度センサが検知した明るさを示す信号を制御信号９２として送信するものとしても良い。また、通信制御回路１３は、外部の明るさに対して適した調光率を算出し、制御信号９２として送信するものとしても良い。また、通信制御回路１３は、外部の明るさが明るい程、制御回路４ｂに低い調光率を通知するものとしても良い。制御回路４ｂは受信した制御信号９２に応じて点灯回路４ａを制御する。この結果、発光部３に流れる電流量が調整され、発光部３の明るさが制御される。
【００５１】
例えば、外光が入る窓側に照明器具１が設置されている場合、昼間は照明器具１の調光率が５０％程度となるように制御し、夜間は１００％程度となるように制御しても良い。一方、照明器具１が、外光が入らないような室内に設置されている場合は、昼夜問わず照明器具１の調光率を１００％程度となるように制御しても良い。
【００５２】
このように、照度センサを搭載した照明制御機器９０により、照明器具１の設置される外部環境に応じて発光部３の明るさを制御することができる。このため、外部環境が明るい時に調光率を低減することで、発光部３が消費する電流を低減できる。従って、照明器具１の消費エネルギーを低減できる。なお、１台の照明制御機器で、同一の外部環境に設置された複数の照明器具１を同時に制御しても良い。この場合、１台の照明制御機器９０が送信した指令信号９１を、各々の照明器具１に取り付けられた制御ユニット１０が受信する。これにより、複数の照明器具１が一台の照明制御機器９０によって同時に調光可能となる。
【００５３】
次に、使用者が照度センサの機能をオフし、外部環境の明るさに関係なく照明器具１を点灯する場合について説明する。使用者は、照明制御機器９０に対して照度センサの機能をオフする設定を行う。この結果、照明制御機器９０から制御ユニット１０に、制御ユニット１０の動作を停止する指令信号９１が送信される。これにより、制御ユニット１０から制御回路４ｂにスイッチ部４ｄを遮断する制御信号９２が送信される。
【００５４】
制御回路４ｂは制御信号９２を受けて、スイッチ部４ｄをオフする。従って、制御ユニット１０への制御電源の供給が遮断される。この結果、制御ユニット１０は動作を停止する。このため、制御ユニット１０の消費電力を削減することができる。なお、照明制御機器９０は照度センサとリモコンを備えるものとしても良い。この場合、制御ユニット１０の機能をオフする設定は、リモコンから行ってもよい。この場合、制御ユニット１０の動作を停止する指令信号９１はリモコンから制御ユニット１０に送信される。
【００５５】
ここでは、照明制御機器９０に照度センサが搭載された例について説明した。これに対し、照度センサを制御ユニット１０に搭載しても良い。次に、制御ユニット１０が照度センサを備える場合について説明する。このとき、制御ユニット１０は、照度センサユニットとなる。照度センサを搭載した制御ユニット１０は、電極１１、センサ部１２および通信制御回路１３を備える。電極１１は、接続部５に接続される。センサ部１２は、明るさを検出する照度センサを備える。通信制御回路１３は、照度センサで検出した明るさを制御信号９２に変換して、制御回路４ｂに送信する照度制御回路である。
【００５６】
制御信号９２に応じて、制御回路４ｂは点灯回路４ａを制御する。この結果、発光部３に流れる電流量が調整され、明るさが制御される。また、制御ユニット１０が照度センサを備える場合、外部の照明制御機器９０はリモコンを備えても良い。このとき、センサ部１２は、さらに無線通信アンテナを備える。使用者は、リモコンから制御ユニット１０の機能をオフする操作を行う。この結果、リモコンから制御ユニット１０に、制御ユニット１０の動作を停止する指令信号９１が送信される。
【００５７】
また、照明制御機器９０は赤外線リモコンであっても良い。このとき、センサ部１２は、さらに赤外線受光部を備える。赤外線リモコンから制御ユニット１０に制御ユニット１０の機能をオフする指令信号９１を送信すると、制御ユニット１０は赤外線リモコンからの指令信号９１に基づいた制御信号９２を制御回路４ｂに送信する。この結果、制御回路４ｂはスイッチ部４ｄをオフし、制御ユニット１０への制御電源の供給を遮断する。
【００５８】
次に、照明制御機器９０が人感センサを搭載し、照明器具１が無線通信機能を有する制御ユニット１０を備える場合について説明する。人感センサを備える照明制御機器９０は、例えば天井に設置される。人感センサは、人の在／不在を検出する焦電素子を備える。また、人感センサは、焦電素子で検出した人の在／不在の判定結果を指令信号９１に変換し、制御ユニット１０に送信する人感制御回路を備える。
【００５９】
焦電素子が人を検出すると、照明制御機器９０は人が居ることを通知する指令信号９１を制御ユニット１０に送信する。制御ユニット１０は指令信号９１に基づいて、点灯を指示する制御信号９２を制御回路４ｂに送信する。制御回路４ｂは、制御信号９２に応じて点灯回路４ａを制御し、発光部３を点灯させる。
【００６０】
また、人の存在を検出してから予め定められた期間、焦電素子が人を検出しなければ、人感制御回路は人が不在と判定する。人の不在が判定されると、照明制御機器９０は人の不在を通知する指令信号９１を制御ユニット１０に送信する。制御ユニット１０は指令信号９１に基づいて、消灯を指示する制御信号９２を制御回路４ｂに送信する。制御回路４ｂは制御信号９２に基づいて点灯回路４ａを制御し、発光部３を消灯させる。または、制御回路４ｂは制御信号９２に基づいて発光部３の調光率を低下させるものとしても良い。
【００６１】
以上から、人感センサにより、人の在／不在を検出して、照明器具１の点灯、消灯または調光制御を行うことが可能である。人の不在時に発光部３を消灯または調光率を低下させることで、照明器具１の消費電力を低下させることが可能となる。
【００６２】
次に、使用者が人感センサの機能をオフし、人の在／不在に関係なく発光部３を点灯させる場合について説明する。使用者は照明制御機器９０に対して人感センサの機能をオフする設定を行う。これにより、照明制御機器９０から制御ユニット１０へ、制御ユニット１０の動作を停止する指令信号９１が送信される。制御ユニット１０は、指令信号９１を受けて、制御回路４ｂにスイッチ部４ｄを遮断する制御信号９２を送信する。制御回路４ｂは制御信号９２に応じて、スイッチ部４ｄをオフし、制御ユニット１０への制御電源の供給を遮断する。従って、制御ユニット１０は動作を停止し、制御ユニット１０の消費電力を削減することができる。
【００６３】
ここでは、照明制御機器９０に人感センサが搭載された例について説明した。これに対し、人感センサを制御ユニット１０に搭載してもよい。このとき、制御ユニット１０は人感センサユニットとなる。この場合、制御ユニット１０は、電極１１、センサ部１２および通信制御回路１３を備える。電極１１は、接続部５に接続される。センサ部１２は、人の在／不在を検出する焦電素子を備える。通信制御回路１３は、人感制御回路を備える。人感制御回路は、焦電素子で検出した人の在／不在を判定する信号を変換し、制御信号９２を生成する。また、人感制御回路は、制御信号９２を制御回路４ｂに送信する。
【００６４】
また、制御ユニット１０が人感センサを備える場合、外部の照明制御機器９０はリモコンを備えても良い。このとき、センサ部１２は、さらに無線通信アンテナを備える。人感センサの機能をオフする場合、使用者はリモコンから人感センサの機能をオフする操作を行う。この結果、リモコンから制御ユニット１０に、制御ユニット１０の動作を停止する指令信号９１が送信される。
【００６５】
照明制御機器９０は赤外線リモコンであっても良い。この場合、センサ部１２は、さらに赤外線受光部を備える。赤外線リモコンから制御ユニット１０に人感センサの機能をオフする指令信号９１を送信すると、制御ユニット１０は指令信号９１に基づいた制御信号９２を制御回路４ｂに送信する。この結果、制御回路４ｂはスイッチ部４ｄをオフし、制御ユニット１０への制御電源の供給を遮断する。
【００６６】
使用者が制御ユニット１０の動作を停止した後に、再び照度センサまたは人感センサの機能を復帰させる手順は、照明制御機器９０が調光コントローラである場合と同様である。使用者は、外部電源７０をスイッチＳＷで遮断した後に、再投入する。これにより、再び制御回路４ｂはスイッチ部４ｄをオンする。この結果、制御ユニット１０に制御電源が供給され、照度センサまたは人感センサの機能が復帰する。
【００６７】
また、使用者が常に照度センサまたは人感センサの機能を停止する場合の制御は、照明制御機器９０が調光コントローラである場合と同様である。これにより、外部電源７０の投入の度に、照明制御機器９０から照度センサまたは人感センサの機能を停止する操作を行う必要がなくなる。従って、照明制御機器９０を操作する煩わしさを解消することができる。
【００６８】
本実施の形態では、スイッチ部４ｄを光源点灯装置４に設けた。これに対し、制御ユニット１０にスイッチ部４ｄを設けても良い。また、本実施の形態では、制御電源回路４ｃの出力と制御ユニット１０との間にスイッチ部４ｄを設けた。このため、スイッチ部４ｄを遮断することで、制御ユニット１０への制御電源の供給が遮断される。これに対し、制御電源の遮断方法はこれに限定されない。
【００６９】
本実施の形態では、制御ユニット１０と制御回路４ｂに対して共通の制御電源回路４ｃから電力が供給される。これに対し、制御回路４ｂと制御ユニット１０に対して、それぞれ独立した制御電源回路から電力が供給されるものとしても良い。この場合、制御ユニット１０に電力を供給する制御電源回路の動作自体を停止することで、制御ユニット１０への制御電源の供給を遮断しても良い。この場合、制御ユニット１０に電力を供給する制御電源回路の入力側にスイッチ部４ｄが設けられる。
【００７０】
また、本実施の形態では、照明制御機器９０の操作によりスイッチ部４ｄを遮断する。これにより、制御ユニット１０への制御電源の供給を遮断した。これに対し、スイッチ部４ｄは、例えば制御ユニット１０または照明器具１の筐体等に設けられたスイッチまたは引き紐等であっても良い。この場合、使用者がスイッチまたは引き紐を操作することによって、制御ユニット１０への制御電源の供給が遮断される。
【００７１】
また、制御回路４ｂは、接続部５に接続された制御ユニット１０の種類を自動で判別するものとしても良い。制御回路４ｂは、制御ユニット１０の種類を判別すると、制御ユニット１０の種類に応じた制御となるように、制御を自動で切り替えても良い。これにより、制御ユニット１０の取り付け時における、使用者による機器設定等の手間を低減することができる。接続された制御ユニット１０の種類の判別は、制御ユニット１０と制御回路４ｂとの通信により容易に実行できる。
【００７２】
処理回路２６、記憶装置２３およびカウンタ２４はマイクロコンピュータに内蔵されていても良い。このとき、制御回路４ｂはマイクロコンピュータを備える。また、処理回路２６は、記憶装置２３に格納されるプログラムを実行するＣＰＵ（Ｃｅｎｔｒａｌ  Ｐｒｏｃｅｓｓｉｎｇ  Ｕｎｉｔ）であっても良い。ＣＰＵは、中央処理装置、処理装置、演算装置、マイクロプロセッサ、マイクロコンピュータ、プロセッサまたはＤＳＰともいう。また、処理回路２６は専用のハードウェアであっても良い。
【００７３】
処理回路２６がＣＰＵの場合、処理回路２６の機能は、ソフトウェア、ファームウェア、またはソフトウェアとファームウェアとの組み合わせにより実現される。ソフトウェアおよびファームウェアはプログラムとして記述され、記憶装置２３に格納される。処理回路２６は、記憶装置２３に記憶されたプログラムを読み出して実行する。これにより、照明機具１の機能を実現する。また、これらのプログラムは、制御回路４ｂによる点灯回路４ａおよびスイッチ部４ｄの制御の手順および方法を処理回路２６に実行させるものであるともいえる。ここで、記憶装置２３は、例えば、ＲＡＭ、ＲＯＭ、フラッシュメモリー、ＥＰＲＯＭ、ＥＥＰＲＯＭ等の、不揮発性または揮発性の半導体メモリおよび磁気ディスク、フレキシブルディスク、光ディスク、コンパクトディスク、ミニディスク、ＤＶＤ等が該当する。
【００７４】
これらの変形は以下の実施の形態に係る照明器具について適宜応用することができる。なお、以下の実施の形態に係る照明器具については実施の形態１との共通点が多いので、実施の形態１との相違点を中心に説明する。
【００７５】
実施の形態２．
本発明の実施の形態２に係る照明器具１の構成は、実施の形態１と同様である。実施の形態１では、任意のタイミングで制御ユニット１０への制御電源の供給を遮断する場合について説明した。本実施の形態では、制御ユニット１０への制御電源の供給が間欠的に行われる場合について説明する。
【００７６】
ここでは、照明制御機器９０が照度センサを搭載し、照明器具１が無線通信機能を有する制御ユニット１０を備える場合について説明する。照度センサの機能については、実施の形態１と同様であるため、説明を省略する。照度センサを用いて、外光に応じて発光部３の明るさを制御する場合について考える。
【００７７】
例えば、昼間から夜間にかけて、外光は徐々に暗くなる。外光が入る窓側に設置された照明器具１は照度センサからの指令信号９１に応じて、外光が暗くなるほど、明るさを増していく。ここで、外光は急激に変化することはなく、変化速度は極めて遅い。従って、例えば、数分から数十分おきに光源点灯装置４は照度センサからの情報である制御信号９２を取り込み、発光部３の明るさに反映させれば十分目的を果たすことができる。
【００７８】
本実施の形態に係る照明器具１では、制御回路４ｂは間欠的に制御信号９２を取り込む。また、制御ユニット１０から制御信号９２を受信しない期間においては、制御ユニット１０への制御電源の供給が遮断される。これにより制御ユニット１０の待機電力を削減することができる。ここで、本実施の形態では、制御回路４ｂが制御信号９２を取り込む間隔を例えば１０分間隔とする。
【００７９】
図３は、本発明の実施の形態２に係る照明器具の動作を示すフローチャートである。図３を用いて本実施の形態の動作例について説明する。照明器具１にスイッチＳＷまたは照明制御機器９０等を用いて点灯指示を行う。この結果、光源点灯装置４は発光部３を点灯させる。次に、処理回路２６は、制御回路４ｂの内部の時間を計測するカウンタ２４をリセットする。この結果、カウンタ２４のカウント値はゼロとなる。次に、処理回路２６はスイッチ部４ｄをオンする。この結果、制御ユニット１０に制御電源が供給される。
【００８０】
これにより、制御ユニット１０は動作を開始する。次に、通信制御回路１３は、照明制御機器９０に対して照度センサが検出した照度の情報の送信を要求する。照度の情報の送信を要求する要求信号は、通信制御回路１３の指示によりセンサ部１２から送信される。照明制御機器９０は要求信号を受信すると、照度センサによって検出した照度を通知する指令信号９１を制御ユニット１０に送信する。
【００８１】
制御ユニット１０は、指令信号９１を受信すると、指令信号９１を制御回路４ｂに送信するための制御信号９２に変換する。次に、制御ユニット１０は制御信号９２を制御回路４ｂに送信する。制御回路４ｂは受信した制御信号９２に基づいて点灯回路４ａを制御して、発光部３の電流量を調整する。この結果、制御信号９２が通知した調光率が発光部３に反映される。
【００８２】
制御信号９２を受信すると、処理回路２６はスイッチ部４ｄをオフする。この結果、制御ユニット１０への制御電源の供給が遮断される。次に、制御回路４ｂは、カウンタ２４を用いて時間カウントを開始する。制御回路４ｂは、例えばマイクロコンピュータで構成される。カウンタ２４には、マイクロコンピュータ内部のカウンタを用いることが出来る。あらかじめ定めた規定時間が経過すると、カウンタ２４はカウントを停止する。規定時間は、例えば１０分である。その後、処理回路２６は、再びカウンタリセットを行う。以降、制御回路４ｂは、カウンタリセットからカウント停止までの一連の動作を繰り返す。
【００８３】
本実施の形態では、制御回路４ｂは、スイッチ部４ｄを間欠的に導通状態とする。これにより、制御ユニット１０は、間欠的に光源点灯装置４と通信を行う。また、通信を実施しない期間においては、制御ユニット１０への制御電源の供給は遮断される。従って、制御ユニット１０の消費電力を削減することができる。
【００８４】
ここでは、照明制御機器９０に照度センサが搭載された構成について説明した。これに対し、例えば、制御ユニット１０に照度センサが搭載されていても構わない。次に、照度センサを搭載した制御ユニット１０を備えた照明器具１の動作について説明する。
【００８５】
まず、制御回路４ｂがスイッチ部４ｄをオンし、制御ユニット１０に制御電源を供給する。この結果、制御ユニット１０が起動する。次に、制御ユニット１０は内蔵する照度センサが検知した照度に基づく制御信号９２を制御回路４ｂに送信する。制御回路４ｂは制御信号９２を受信する。制御回路４ｂは、制御信号９２に応じて、点灯回路４ａを制御し、発光部３の電流量を調整する。次に、制御回路４ｂは制御ユニット１０への制御電源の供給を遮断する。制御回路４ｂはカウンタ２４で時間をカウントする。あらかじめ定めた規定時間が経過すると、制御回路４ｂは再び制御ユニット１０への制御電源の供給を開始する。ここで、規定時間は、例えば１０分である。その後、制御回路４ｂは一連の動作を繰り返す。
【００８６】
このように、光源点灯装置４は、照度センサが検知した照度に基づく制御信号９２を、間欠的に制御ユニット１０から直接取り込む。また、通信を実施しない期間においては、制御ユニット１０への制御電源の供給を遮断する。このため、制御ユニット１０の消費電力を削減することができる。また、照度センサを搭載した制御ユニット１０を用いる場合、外部の照明制御機器９０および制御ユニット１０は無線通信機能を備えなくても良い。従って、簡単な構成で照明システムを形成できる。
【００８７】
ここで、例えば、照度センサを内蔵する制御ユニット１０を搭載した照明器具１が、照度センサを搭載していない照明器具に照度センサに基づくデータを送信してもよい。この場合、制御ユニット１０は無線通信部を備える。照度センサを内蔵する制御ユニット１０を搭載した１台の照明器具１から、周辺に設けられた照度センサを持たない複数の照明器具に対して、無線通信により照度を通知する。このため、照度センサを持たない複数の照明器具を、適切な明るさで点灯するように制御することができる。ただし、照度センサを持たない照明器具には無線通信機能を有する制御ユニットを取り付ける必要がある。
【００８８】
ここでは、照明制御機器９０が照度センサを備える場合の動作例について示した。これに対し、照明制御機器９０は他の種類のセンサを備えても構わない。例えば、照明制御機器９０が備えるセンサは、人の在／不在を検出する人感センサであっても構わない。この場合、人感センサを搭載した照明制御機器９０は天井等に設置される。照明制御機器９０が照度センサを備える場合よりも短い間隔で、制御ユニット１０と光源点灯装置４は通信を行う。ここで、制御ユニット１０と光源点灯装置４が通信を行う間隔は、例えば数秒間隔である。
【００８９】
通信を行わない期間においては、制御回路４ｂは制御ユニット１０への制御電源の供給を遮断する。制御ユニット１０への制御電源の供給を再開すると、制御ユニット１０は照明制御機器９０に対して、人の検知結果の通知を要求する信号を送信する。照明制御機器９０は検知結果に応じた指令信号９１を送信する。指令信号９１に応じて、制御ユニット１０は制御回路４ｂに制御信号９２を送信する。制御回路４ｂは、制御信号９２に応じて、発光部３の点灯または消灯を制御する。
【００９０】
制御ユニット１０の制御電源が遮断中、照明制御機器９０は人の在／不在の情報を記憶しておく。制御ユニット１０から、人の検知結果の通知を要求する信号を受信すると、照明制御機器９０は、記憶してある情報を指令信号９１として送信する。
【００９１】
なお、光源点灯装置４は、接続部５に接続された制御ユニット１０の種類を制御回路４ｂによって自動判別してもよい。また、接続部５に接続された制御ユニット１０の種類に応じて、制御回路４ｂは、自動で通信を行う間隔を変更しても良い。例えば、照度センサと通信するための制御ユニット１０が接続された場合、通信の間隔を１０分とする。また、人感センサと通信するための制御ユニット１０が接続された場合、通信の間隔を数秒とする。これにより、使用者による機器設定の手間を低減することができる。
【００９２】
実施の形態３．
本発明の実施の形態３に係る照明器具１の構成は、実施の形態１と同様である。本実施の形態では、光源点灯装置４への外部電源７０の投入時および外部電源７０の遮断時における、制御ユニット１０への制御電源の供給および遮断のタイミングについて説明する。図４は、本発明の実施の形態３に係る照明器具の動作シーケンスを示すタイムチャートである。まず、図４を用いて、光源点灯装置４に外部電源７０を投入するときの、照明器具１の動作シーケンスについて説明する。
【００９３】
（時刻ｔ０〜ｔ１）
時刻ｔ０においてスイッチＳＷをオンすることにより、光源点灯装置４に外部電源７０が投入される。外部電源７０が投入されると、制御電源回路４ｃには、コンデンサ４８の正極に発生する電圧が入力される。制御電源回路４ｃは、予め設定した大きさの制御電源電圧の生成を開始する。制御電源電圧は、例えば１０Ｖである。生成された制御電源電圧は制御回路４ｂに印加され、制御回路４ｂが起動する。このとき、スイッチ部４ｄはオフ状態である。このため、制御ユニット１０には制御電源電圧は印加されない。
【００９４】
（時刻ｔ１〜ｔ２）
制御回路４ｂが動作を開始すると、制御回路４ｂはスイッチ部４ｄをオンする。この結果、制御電源回路４ｃから制御ユニット１０に制御電源が供給される。これにより、制御ユニット１０は起動する。
【００９５】
（時刻ｔ２〜ｔ３）
制御ユニット１０が動作を開始すると、制御回路４ｂはスイッチング素子４９を駆動して、発光部３に電流を供給する。この結果、発光部３が点灯を開始する。制御回路４ｂは制御ユニット１０からの制御信号９２に従って点灯回路４ａを制御し、発光部３を流れる光源電流の調整等を実施する。
【００９６】
以上から、制御電源回路４ｃが起動すると、まず制御回路４ｂに制御電源を供給する。また、制御回路４ｂの起動が完了するまでは、制御ユニット１０に制御電源を供給しない。例えば、制御回路４ｂがマイクロコンピュータ等の半導体回路で構成される場合、制御回路４ｂが起動する前に制御ユニット１０等から信号が入力されると、正しく信号を受信できない場合がある。このため、マイクロコンピュータが誤動作する可能性がある。
【００９７】
また、例えば、制御回路４ｂと制御ユニット１０に、それぞれ独立した制御電源回路から制御電源が供給される場合を考える。この場合、それぞれの制御電源回路で起動時間が異なると、制御回路４ｂに制御電源が供給される前に制御ユニット１０に制御電源が供給される可能性がある。この場合、制御回路４ｂが備えるマイクロコンピュータに制御電源が供給されない状態で、マイクロコンピュータの各ポートに制御ユニット１０からの信号が入力される可能性がある。この場合、マイクロコンピュータはラッチアップ現象を引き起こし、故障する可能性がある。
【００９８】
本実施の形態では、外部電源７０から点灯回路４ａへの電力供給を開始すると、制御回路４ｂに電力が供給された後に、制御回路４ｂはスイッチ部４ｄを導通状態とする。従って、制御回路４ｂの起動完了後に制御ユニット１０に制御電源が供給される。このため、制御回路４ｂが起動を完了する前に、制御回路４ｂに信号が入力されることを防止できる。従って、マイクロコンピュータの誤動作およびラッチアップ現象を防止できる。
【００９９】
次に、図４を用いて、外部電源７０を遮断するときの、照明器具１の動作シーケンスを説明する。
【０１００】
（時刻ｔ３〜ｔ４）
時刻ｔ３において、スイッチＳＷをオフすることによって外部電源７０から光源点灯装置４への電力供給が遮断される。ここで、点灯回路４ａおよび制御電源回路４ｃは平滑コンデンサであるコンデンサ４８およびコンデンサ６１を有している。このため、外部電源７０が遮断された後、一定期間は、制御電源回路４ｃは制御電源電圧を出力可能である。このため、外部電源７０が遮断された後も、制御回路４ｂは動作可能である。また、スイッチＳＷがオフされると、発光部３は消灯する。
【０１０１】
（時刻ｔ４〜ｔ５）
制御回路４ｂは外部電源７０の遮断を検出すると、スイッチ部４ｄをオフする。この結果、制御ユニット１０への制御電源の供給が遮断される。これにより、制御ユニット１０は動作を停止する。なお、例えば、分圧抵抗４２、４３に印加される電圧を制御回路４ｂが読み取ることで、外部電源７０の遮断を判定することができる。
【０１０２】
（時刻ｔ５〜ｔ６）
制御電源回路４ｃが出力する制御電源電圧は時間の経過とともに低下する。この結果、制御回路４ｂの動作が停止する。
【０１０３】
本実施の形態では、外部電源７０から点灯回路４ａへの電力供給が遮断されると、制御回路４ｂがスイッチ部４ｄを遮断し、その後に、制御回路４ｂへの電力供給が停止される。従って、外部電源７０を遮断すると、まず制御ユニット１０への制御電源の供給が遮断され、制御ユニット１０の動作が停止する。その後、制御回路４ｂへの制御電源の供給が停止し、制御回路４ｂの動作が停止する。これにより、制御回路４ｂが動作停止後に制御ユニット１０から制御信号９２が入力されることを防止できる。従って、制御回路４ｂの誤動作およびラッチアップ現象を防止できる。
【０１０４】
実施の形態４．
図５は、本発明の実施の形態４に係る光源点灯装置および制御ユニットの回路ブロック図である。本実施の形態に係る照明器具１の構成は、実施の形態１と同様である。本実施の形態では、発光部３が消灯中に制御ユニット１０へ供給する制御電源の電圧を、発光部３が点灯状態のときに制御ユニット１０に供給する電圧より低くする。これにより、制御ユニット１０の消費エネルギーを低減する方法について説明する。
【０１０５】
制御回路４ｂは、スイッチング素子４６、４９を駆動する駆動回路２０、マイクロコンピュータ２１および降圧回路２２を備える。ここで、マイクロコンピュータ２１は、図２における処理回路２６、記憶装置２３およびカウンタ２４を含む。また、図２において降圧回路２２は省略されている。また、制御ユニット１０は、マイクロコンピュータ３０および降圧回路３１を備える。マイクロコンピュータ３０は、図２における通信制御回路１３を含む。また、図２では降圧回路３１は省略されている。また、図５では便宜上、センサ部１２および分圧抵抗４２、４３は省略されている。
【０１０６】
駆動回路２０はマイクロコンピュータ２１の指示に従ってスイッチング素子４６、４９を駆動する。降圧回路２２はマイクロコンピュータ２１の駆動電源を供給する。降圧回路２２は、制御電源回路４ｃの出力電圧である制御電源電圧をマイクロコンピュータ２１の動作に適した電圧に変換する。
【０１０７】
マイクロコンピュータ３０は、照明制御機器９０から送信される各種センサ等からの情報を取得し、制御回路４ｂに送信するための制御信号９２に変換する。降圧回路３１はマイクロコンピュータ３０の駆動電源を供給する。降圧回路３１は、制御電源回路４ｃの出力電圧をマイクロコンピュータ３０の動作に適した電圧に変換する。ここで、降圧回路２２、降圧回路３１は例えば３端子レギュレータ、トランジスタによるシリーズレギュレータ、またはツェナーダイオード等で降圧を行う回路を含む。
【０１０８】
図６は、本発明の実施の形態４における照明器具の動作シーケンスを示すタイムチャートである。まず、外部の照明制御機器９０からの指令信号９１により、発光部３を点灯状態から消灯状態とした場合の制御電源回路４ｃの動作について図６を用いて説明する。本実施の形態では、照明制御機器９０が調光コントローラである場合について説明する。
【０１０９】
（時刻ｔ０〜ｔ１）
時刻ｔ０〜ｔ１では、発光部３であるＬＥＤユニットは点灯している状態である。制御回路４ｂおよび制御ユニット１０には制御電源電圧として、例えば１０Ｖが印加されている。駆動回路２０にはスイッチング素子４６、４９を駆動するために、１０Ｖの電源が供給されることが必要となる。これに対し、マイクロコンピュータ２１を駆動するためには例えば３．３Ｖの電源を供給する事が必要となる。
【０１１０】
そこで、１０Ｖの制御電源電圧は降圧回路２２により３．３Ｖに降圧され、マイクロコンピュータ２１に印加される。一方、駆動回路２０には１０Ｖが印加される。同様に、制御ユニット１０においても、マイクロコンピュータ３０を駆動するためには３．３Ｖの電源を供給する事が必要となる。降圧回路３１により制御電源電圧は３．３Ｖに降圧され、マイクロコンピュータ３０に印加される。
【０１１１】
（時刻ｔ１〜ｔ２）
時刻ｔ１において、調光コントローラから発光部３を消灯する指令信号９１が出力される。なお、本実施の形態では、調光コントローラからの指令信号９１はＬＯＷが点灯信号を表し、ＨＩＧＨが消灯信号を表すものとする。制御ユニット１０はＨＩＧＨ信号を受信すると、光源点灯装置４に発光部３を消灯するための制御信号９２を送信する。これにより、発光部３を流れる光源電流がゼロとなり、発光部３は消灯する。この時、点灯回路４ａには、外部電源７０から常に電力が供給されている状態である。
【０１１２】
発光部３が消灯すると、制御電源回路４ｃは制御電源電圧を１０Ｖから例えば５Ｖに変更する。制御電源回路４ｃは出力電圧の変更は、駆動回路６５によって、スイッチング素子６４のデューティー比を調整することで実施する。ここで、制御回路４ｂは、制御信号９２に応じて制御電源電圧を下げるように駆動回路６５を制御するものとしても良い。また、制御電源回路４ｃが消灯を指示する制御信号９２を受信することで、制御電源回路４ｃは制御電源電圧を下げるように駆動回路６５を制御するものとしても良い。
【０１１３】
この時、スイッチ部４ｄはオン状態である。降圧回路３１は５Ｖから３．３Ｖを生成する。マイクロコンピュータ３０は、降圧回路３１から３．３Ｖが供給され、駆動する。同様に、降圧回路２２は５Ｖから３．３Ｖを生成する。マイクロコンピュータ２１は、降圧回路２２から３．３Ｖが供給され、駆動する。すなわち、発光部３が消灯状態であっても、降圧回路２２、３１の出力電圧は点灯状態の時と変わらない。発光部３が消灯状態のとき、スイッチング素子４６、４９を駆動する必要がない。このため、駆動回路２０に１０Ｖの制御電源電圧の供給する必要がない。
【０１１４】
次に、調光コントローラからの指令信号９１により、発光部３を消灯状態から点灯状態とした場合の制御電源回路４ｃの動作について図６を用いて説明する。
【０１１５】
（時刻ｔ２〜ｔ３）
時刻ｔ２において、調光コントローラから発光部３を点灯するための指令信号９１であるＬＯＷ信号が出力される。制御ユニット１０はＬＯＷ信号を受信すると、光源点灯装置４に発光部３を点灯するための制御信号９２を送信する。光源点灯装置４は制御信号９２を受信すると、制御電源回路４ｃの出力電圧を５Ｖから１０Ｖに変更する。
【０１１６】
（時刻ｔ３〜ｔ４）
制御電源回路４ｃの出力電圧が１０Ｖに到達すると、駆動回路２０がマイクロコンピュータ２１の指令に基づいてスイッチング素子４６、４９を駆動させる。この結果、発光部３が点灯する。このとき、降圧回路２２、３１は制御電源回路４ｃの出力電圧である１０Ｖから３．３Ｖを生成する。ここで、制御回路４ｂは、制御電源回路４ｃの出力電圧を検知する電圧検知回路を備えても良い。
【０１１７】
（時刻ｔ４〜）
調光コントローラから、制御ユニット１０への制御電源の供給を遮断する指令信号９１が出力される。指令信号９１に基づき、制御回路４ｂはスイッチ部４ｄをオフする。この結果、降圧回路３１の出力電圧はゼロとなり、マイクロコンピュータ３０への電力の供給が遮断される。また、制御電源回路４ｃは出力電圧１０Ｖを維持する。このため、降圧回路２２は１０Ｖから３．３Ｖを生成してマイクロコンピュータ２１の駆動を維持する。さらに、駆動回路２０への制御電源電圧の供給が維持されるため、点灯回路４ａは発光部３の点灯を維持する。
【０１１８】
本実施の形態では、発光素子８１が消灯状態において制御電源回路４ｃが発生させる電圧は、発光素子８１が点灯状態において制御電源回路４ｃが発生させる電圧よりも低い。つまり、発光部３が点灯中の場合は、スイッチング素子４６、４９を駆動する必要がある。このため、制御電源電圧として１０Ｖの高電圧が必要となる。このとき、マイクロコンピュータ２１、３０等の低い電圧で駆動する回路には、降圧回路２２、３１によって１０Ｖから３．３Ｖに降圧した電圧を供給する。
【０１１９】
一方、発光部３が消灯中の場合は、スイッチング素子４６、４９を駆動しない。このため、１０Ｖの高電圧は必要ない。また、制御回路４ｂは点灯を指示する信号の受信待ちの状態となる。このとき、制御回路４ｂおよび制御ユニット１０に供給する電圧は、マイクロコンピュータ２１およびマイクロコンピュータ３０を駆動するための３．３Ｖの電圧で良い。
【０１２０】
そこで、発光部３が消灯中の場合は、制御電源回路４ｃの出力電圧を点灯中の出力電圧である１０Ｖよりも低い５Ｖに設定する。これにより、降圧回路２２、３１における損失を低減できる。例えば、１０Ｖから３．３Ｖを生成するには降圧回路２２、３１に１０Ｖと３．３Ｖの差分である６．７Ｖが印加される。これに対し、制御電源電圧を５Ｖにすると、降圧回路２２、３１に印加される電圧は１．７Ｖに減少する。ここで、降圧回路の損失は降圧回路に印加される電圧と降圧回路に流れる電流の積で決まる。このため、電流値が同じであれば、制御電源電圧を下げることで、降圧回路２２、３１の損失を大幅に削減できる。
【０１２１】
以上のように、本実施の形態では、発光部３が消灯中において、制御ユニット１０に供給される制御電源電圧を、発光部３が点灯中において供給される制御電源電圧より低く設定する。従って、制御ユニット１０の消費電力を削減することができる。なお、各実施の形態で説明した技術的特徴は適宜に組み合わせて用いてもよい。
【符号の説明】
【０１２２】
１  照明器具、２  筐体、４  光源点灯装置、４ａ  点灯回路、４ｂ  制御回路、４ｃ  制御電源回路、４ｄ  スイッチ部、１０  制御ユニット、１２  センサ部、７０  外部電源、８１  発光素子
【図１】
2018037232.tif 000003
【図２】
2018037232.tif 000004
【図３】
2018037232.tif 000005
【図４】
2018037232.tif 000006
【図５】
2018037232.tif 000007
【図６】
2018037232.tif 000008